(57)【要約】【課題】紙幣処理装置において、設定している識別事項を、操作者に対し適切に伝える。【解決手段】紙幣処理装置１は、紙幣の識別を行う識別部１８と、設定された処理内容と識別部の識別結果とに基づいて、紙幣に関する処理を行う処理部と、操作者の操作に基づいて識別部の識別事項を設定する識別設定部と、識別設定部が設定をした識別事項を出力する出力部（表示部１７）と、を備える。出力部は、識別事項として所定の事項が設定された場合には、第１の態様で識別事項を出力しかつ、所定の事項が設定されていない場合には、第２の態様で識別事項を出力する。【選択図】図８
2020087228.tif 000002
【特許請求の範囲】
【請求項１】
紙幣の識別を行う識別部と、
設定された処理内容と前記識別部の識別結果とに基づいて、前記紙幣に関する処理を行う処理部と、
操作者の操作に基づいて前記識別部の識別事項を設定する識別設定部と、
前記識別設定部が設定をした識別事項を出力する出力部と、を備え、
前記出力部は、前記識別事項として所定の事項が設定された場合には、第１の態様で識別事項を出力しかつ、前記所定の事項が設定されていない場合には、第２の態様で識別事項を出力する紙幣処理装置。
【請求項２】
前記識別設定部は、前記紙幣の正損の識別レベルを設定し、
前記所定の事項は、前記紙幣の正損を識別しないことであり、
前記出力部は、前記紙幣の正損を識別することが設定された場合には、設定された識別レベルを通常の態様で出力しかつ、前記紙幣の正損を識別しないことが設定された場合には、正損の識別をしない旨を警告の態様で出力する請求項１に記載の紙幣処理装置。
【請求項３】
操作者の操作に基づいて前記処理内容を設定する処理設定部と、
前記識別設定部が設定した識別事項と、前記処理設定部が設定した処理内容との組み合わせに基づいて、処理の実行可否を判断する制御部と、を備え、
前記制御部は、処理の実行ができないと判断した場合には、前記処理部が処理を実行することを制限する請求項１又は２に記載の紙幣処理装置。
【請求項４】
前記制御部は、前記識別事項として前記所定の事項が設定されかつ、処理の実行ができると判断した場合には、前記出力部に前記第２の態様で前記識別事項を出力させかつ、前記処理部が処理を実行することを許可する請求項３に記載の紙幣処理装置。
【請求項５】
前記出力部は、処理の実行ができないと前記制御部が判断した場合には、前記識別事項の再設定を操作者に促す出力を行う請求項３又は４に記載の紙幣処理装置。
【請求項６】
紙幣の識別を行う識別部と、
設定された処理内容と前記識別部の識別結果とに基づいて、前記紙幣に関する処理を行う処理部と、
操作者の操作に基づいて前記識別部の識別事項を設定する識別設定部と、
操作者の操作に基づいて前記処理内容を設定する処理設定部と、
前記識別設定部が設定した識別事項と、前記処理設定部が設定した処理内容との組み合わせに基づいて、処理の実行可否を判断する制御部と、
処理の実行ができないと前記制御部が判断した場合に、特定の出力を行う出力部と、を備えている紙幣処理装置。
【請求項７】
操作者の操作に基づいて、識別部が紙幣の識別を行う際の識別事項を、識別設定部が設定するステップと、
前記識別事項として所定の事項が設定された場合に、出力部が第１の態様で識別事項を出力するステップと、
前記識別事項として前記所定の事項が設定されていない場合に、前記出力部が第２の態様で識別事項を出力するステップと、
設定された処理内容と前記識別部の識別結果とに基づいて、処理部が前記紙幣に関する処理を行うステップと、を備えている紙幣処理方法。
【請求項８】
操作者の操作に基づいて、処理部が実行する処理内容を、処理設定部が設定するステップと、
操作者の操作に基づいて、識別部が紙幣の識別を行う際の識別事項を、識別設定部が設定するステップと、
設定された識別事項と、設定された処理内容との組み合わせに基づいて、制御部が処理の実行可否を判断するステップと、
処理の実行ができないと前記制御部が判断した場合に、出力部が特定の出力を行うステップと、を備えている紙幣処理方法。
【発明の詳細な説明】
【技術分野】
【０００１】
ここに開示する技術は、紙幣処理装置及び紙幣処理方法に関する。
【背景技術】
【０００２】
特許文献１には、紙幣整理機が記載されている。紙幣整理機は、操作者が設定をした処理内容と、識別部が紙幣の識別を行った結果と、に基づいて紙幣に関する処理を行う。特許文献１の紙幣整理機は、例えば、投入された紙幣を識別して、正券のみからなる帯封紙幣を作成したり、正券及び損券が混合している帯封紙幣を作成したり、することができる。
【先行技術文献】
【特許文献】
【０００３】
【特許文献１】特開２００６−１０７０６１号公報
【発明の概要】
【発明が解決しようとする課題】
【０００４】
ところで、特許文献１に記載されているような紙幣処理装置は、識別部が識別を行う紙幣の正損レベル（つまり、正券と判断するか、損券と判断するかの境となる識別レベル）を、操作者が変更・設定することが可能に構成されている。操作者は、紙幣の正損レベルを、厳しいレベルから甘いレベルまで、複数の段階から、任意に選択することができる。
【０００５】
また、操作者は、紙幣の正損を識別しないと設定することも可能である。
【０００６】
ところが、操作者が紙幣の正損の識別を行わないと設定する一方で、操作者が正券のみから帯封紙幣を作成することを設定した場合、正券のみの帯封紙幣を作成するには紙幣の正損を識別しなければならないため、紙幣処理装置は、処理を適切に実行することができない。具体的には、識別できる全ての紙幣が帯封されるため、正券と損券が混合状態の帯封紙幣が生成される。紙幣処理装置が処理を適切に実行するために、現在設定している紙幣の識別事項を、操作者に適切に伝えることが好ましい。
【０００７】
また、操作者が正券及び損券が混合している帯封紙幣を作成することを設定した場合は、正損を識別することは不要になる。操作者が紙幣の正損の識別を行わないことを設定しても、紙幣処理装置は処理を実行することができる。しかしながら、紙幣の正損の識別を行わない設定は、希な設定である。識別事項が希な設定である点を操作者に対し報知することが、操作者が紙幣処理装置を用いて処理を正しく行う上では有利になる。
【０００８】
ここに開示する技術は、紙幣処理装置において、設定している識別事項を、操作者に対し適切に伝える。
【課題を解決するための手段】
【０００９】
具体的に、ここに開示する紙幣処理装置は、紙幣の識別を行う識別部と、設定された処理内容と前記識別部の識別結果とに基づいて、前記紙幣に関する処理を行う処理部と、操作者の操作に基づいて前記識別部の識別事項を設定する識別設定部と、前記識別設定部が設定をした識別事項を出力する出力部と、を備え、前記出力部は、前記識別事項として所定の事項が設定された場合には、第１の態様で識別事項を出力しかつ、前記所定の事項が設定されていない場合には、第２の態様で識別事項を出力する。
【００１０】
この構成によると、出力部は、識別事項として所定の事項が設定されている場合と、設定されていない場合とで、当該識別事項を異なる態様で出力する。操作者に対し、設定している識別事項を適切に伝えることができる。
【００１１】
前記識別設定部は、前記紙幣の正損の識別レベルを設定し、前記所定の事項は、前記紙幣の正損を識別しないことであり、前記出力部は、前記紙幣の正損を識別することが設定された場合には、設定された識別レベルを通常の態様で出力しかつ、前記紙幣の正損を識別しないことが設定された場合には、正損の識別をしない旨を警告の態様で出力する、としてもよい。
【００１２】
こうすることで、紙幣の正損を識別しないことが設定されている場合に、操作者に対し注意を喚起することができる。
【００１３】
紙幣処理装置は、操作者の操作に基づいて前記処理内容を設定する処理設定部と、前記識別設定部が設定した識別事項と、前記処理設定部が設定した処理内容との組み合わせに基づいて、処理の実行可否を判断する制御部と、を備え、前記制御部は、処理の実行ができないと判断した場合には、前記処理部が処理を実行することを制限する、としてもよい。
【００１４】
こうすることで、識別事項の設定に起因して紙幣処理装置が不適切な処理を実行することを抑制することができる。
【００１５】
前記制御部は、前記識別事項として前記所定の事項が設定されかつ、処理の実行ができると判断した場合には、前記出力部に前記第２の態様で前記識別事項を出力させかつ、前記処理部が処理を実行することを許可する、としてもよい。
【００１６】
こうすることで、紙幣処理装置が処理を適切に実行することを可能になると共に、操作者に対し、設定している識別事項を伝えることができる。
【００１７】
前記出力部は、処理の実行ができないと前記制御部が判断した場合には、前記識別事項の再設定を操作者に促す出力を行う、としてもよい。
【００１８】
再設定を促された操作者が、識別事項の再設定を行うことによって、紙幣処理装置は、処理を、適切に実行することが可能になる。
【００１９】
ここに開示する紙幣処理装置はまた、紙幣の識別を行う識別部と、設定された処理内容と前記識別部の識別結果とに基づいて、前記紙幣に関する処理を行う処理部と、操作者の操作に基づいて前記識別部の識別事項を設定する識別設定部と、操作者の操作に基づいて前記処理内容を設定する処理設定部と、前記識別設定部が設定した識別事項と、前記処理設定部が設定した処理内容との組み合わせに基づいて、処理の実行可否を判断する制御部と、処理の実行ができないと前記制御部が判断した場合に、特定の出力を行う出力部と、を備えている。
【００２０】
この構成によると、識別事項の設定に起因して処理の実行ができない場合には、特定の出力を通じて、操作者の注意を喚起することができる。また、紙幣処理装置が不適切な処理を実行することを、抑制することができる。
【００２１】
ここに開示する紙幣処理方法は、操作者の操作に基づいて、識別部が紙幣の識別を行う際の識別事項を、識別設定部が設定するステップと、前記識別事項として所定の事項が設定された場合に、出力部が第１の態様で識別事項を出力するステップと、前記事項として前記所定の事項が設定されていない場合に、前記出力部が第２の態様で識別事項を出力するステップと、設定された処理内容と前記識別部の識別結果とに基づいて、処理部が前記紙幣に関する処理を行うステップと、を備えている。
【００２２】
こうすることで、操作者は、識別事項として所定の事項が設定されていることを、認識することができる。
【００２３】
ここに開示する紙幣処理方法は、操作者の操作に基づいて、処理部が実行する処理内容を、処理設定部が設定するステップと、操作者の操作に基づいて、識別部が紙幣の識別を行う際の識別事項を、識別設定部が設定するステップと、設定された識別事項と、設定された処理内容との組み合わせに基づいて、制御部が処理の実行可否を判断するステップと、  処理の実行ができないと前記制御部が判断した場合に、出力部が特定の出力を行うステップと、を備えている。
【００２４】
こうすることで、識別事項の設定に起因して処理の実行ができない場合に、操作者は、そのことを認識することができる。
【発明の効果】
【００２５】
以上説明したように、前記の紙幣処理装置及び紙幣処理方法によると、設定している識別事項を、操作者に対し適切に伝えることができる。
【図面の簡単な説明】
【００２６】
【図１】図１は、紙幣処理装置の外観を例示する斜視図である。
【図２】図２は、紙幣処理装置の内部構成を例示する図である。
【図３】図３は、紙幣の正損に係る識別事項を説明する図である。
【図４】図４は、処理の実行が不可になる識別事項と処理内容との組み合わせを示す図である。
【図５】図５は、紙幣処理装置の表示部に表示される処理開始前の待機画面を例示する図である。
【図６】図６は、設定されている識別パターンの詳細を示す画面を例示する図である。
【図７】図７は、図６とは異なる識別パターンの詳細を示す画面を例示する図である。
【図８】図８は、正損の識別をオフにした場合の、処理開始前の待機画面を例示する図である。
【図９】図９は、正損の識別がオフであることを出力する変形例を示す図である。
【図１０】図１０は、処理の実行が不可である場合の、処理開始前の待機画面を例示する図である。
【図１１】図１１は、識別レベルの再設定を促す変形例を示す図である。
【図１２】図１２は、設定している識別レベルに対して、選択することができない処理内容をユーザに提示する、設定画面を例示する図である。
【図１３】図１３は、ここに開示する技術が適用可能な紙幣処理装置（紙幣整理機）を例示する外観図である。
【図１４】図１４は、ここに開示する技術が適用可能な貨幣処理装置（出納機）を例示する外観図である。
【発明を実施するための形態】
【００２７】
以下、紙幣処理装置及び紙幣処理方法の実施形態を図面に基づいて詳細に説明する。以下の説明は、紙幣処理装置の一例である。図１は、紙幣処理装置１の外観を示している。図２は、紙幣処理装置１の内部の構成を示している。
【００２８】
紙幣処理装置１は、紙幣を識別及び計数し、種類別に分類をした上で、所定枚数毎の帯封紙幣を作成したり（帯封モード）、紙幣を所定枚数毎に区分したり（バッチモード）、紙幣の計数を行ったり（入金モード）する装置である。紙幣処理装置１は、紙幣整理機とも呼ばれる。尚、以下の説明では、便宜上、図２における紙面左を「前」、紙面右を「後」と呼ぶ場合がある。
【００２９】
（紙幣処理装置の構成）
紙幣処理装置１には、バラ紙幣を集積する第１外部集積部１１及び第２外部集積部１２と、バラ紙幣が投入される投入部１３、リジェクト券を集積するリジェクト部１４、帯封された紙幣を出金するための投出部１５、及び、後述する端数紙幣を返却する返却部１６がそれぞれ設けられている。
【００３０】
投入部１３は、筐体１０の前面の上部に設けられている。操作者は投入部１３の内部にバラ紙幣を投入することができる。投入部１３は、複数枚の紙幣を、集積した状態で保持することができる。投入部１３には、様々な金種を含む紙幣が投入される。投入部１３は、保持している紙幣を、繰り出しローラ１３１によって一枚一枚、筐体１０の内部へ繰り出す。
【００３１】
第１外部集積部１１及び第２外部集積部１２は、紙幣処理装置１の筐体１０の上部に、前後に並んで設けられている。第１外部集積部１１及び第２外部集積部１２はそれぞれ、複数枚の紙幣を集積することができる。操作者は、第１外部集積部１１及び第２外部集積部１２に集積されている紙幣を、手で取り出すことができる。
【００３２】
リジェクト部１４は  筐体１０の前面における投入部１３の下側に設けられている。リジェクト部１４は、複数枚の紙幣を集積することができる。操作者は、リジェクト部１４に集積されている紙幣を、手で取り出すことができる。
【００３３】
投出部１５は、筐体１０の前面の下部に開口している。帯封紙幣は、投出部１５のスロープを通って筐体１０の外に投出される。投出部１５から投出された帯封紙幣は、予め置かれた容器等に入る。
【００３４】
返却部１６は、筐体１０の上部に設けられている。返却部１６は、紙幣が載るトレイ１６１を有している。トレイ１６１は、図２に実線及び一点鎖線で示すように、前後方向に移動する。紙幣を載せたトレイ１６１が、一点鎖線に示すように前進すると、操作者は、トレイ１６１から紙幣を、手で取り出すことができる。
【００３５】
紙幣処理装置１の上部には、表示部１７が設けられている。表示部１７は、返却部１６の上側に配設されている。表示部１７は、タッチパネルからなる。表示部１７は、操作者が操作を行うための操作部を兼用する。表示部１７は、紙幣処理装置１が処理を行っているときには、紙幣の処理状況等の情報を含んだ計数画面を表示する。表示部１７はまた、紙幣の処理に関する複数の項目を、操作者が設定入力するための設定画面を表示する。表示部１７は、出力部の一例である。
【００３６】
図２に示すように、紙幣処理装置１は、筐体１０の内部に、識別部１８、第１反転部２１、第２反転部２２、搬送部３、第１〜第５集積部５１〜５５、運搬部６、帯封部７、制御部４１、及び記憶部４２を備えている。
【００３７】
搬送部３は、紙幣の搬送方向の順に、投入部１３から、識別部１８、第１反転部２１、リジェクト部１４、第２反転部２２、第１〜第５集積部５１〜５５、第１外部集積部１１及び第２外部集積部１２までの間で、バラ紙幣の搬送を行う。搬送部３は、筐体１０の内部に配設された搬送路を有している。搬送路は、詳細な図示は省略するが、多数のローラ、複数のベルト、これらを駆動するモータ、搬送される紙幣を検出する通過センサ及び複数のガイドの組み合わせによって構成されている。搬送部３は、所定の間隔を空けて、紙幣を一枚一枚、搬送路に沿って搬送する。
【００３８】
識別部１８は、紙幣の搬送方向について、投入部１３の下流に設けられている。識別部１８は、搬送路に沿って搬送される紙幣の金種、真偽、表裏、向き、正損、新旧、搬送状態等を識別する。
【００３９】
第１反転部２１は、スイッチバック機構を含み、識別部１８の識別結果に応じて、紙幣の表裏及び天地方向の両方を、選択的に反転するよう構成されている。第１反転部２１は、表裏及び天地方向の向きを反転する必要がある紙幣の表裏及び天地方向の向きを反転させると共に、表裏及び天地方向の向きを反転する必要がない紙幣を、そのまま通過させる。第１反転部２１を通過した紙幣は、少なくとも表裏が揃っている。
【００４０】
第１反転部２１の前側には、リジェクト部１４が配設されている。リジェクト部１４につながる搬送路１４１は、紙幣の搬送方向について第１反転部２１の下流から分岐している。リジェクト券と識別された紙幣は、リジェクト部１４に搬送される。
【００４１】
第２反転部２２は、スパイラル機構を含み、紙幣の搬送幅方向の向きを、選択的に反転するよう構成されている。第２反転部２２は、識別部１８の識別結果に応じて、左右方向の向きを反転する必要がある紙幣の左右方向の向き及び表裏を反転させると共に、左右方向の向きを反転する必要がない紙幣を、そのまま通過させる。この紙幣処理装置１は、反転部として、第１反転部２１と第２反転部２２との二種類の反転部を備えることにより、紙幣の表裏及び天地方向の向きの両方を揃えることができる。
【００４２】
第１〜第５集積部５１〜５５は、識別部１８、第１反転部２１及び第２反転部２２の後側に配設されている。第１〜第５集積部５１〜５５は、上下方向に並んで配設されている。第１〜第５集積部５１〜５５は、帯封対象の紙幣を、例えば金種毎に集積する。操作者は、第１〜第５集積部５１〜５５に集積する紙幣の種類を設定することができる。
【００４３】
第２反転部２２の下流で紙幣を搬送する搬送路は、第１〜第５集積部５１〜５５の前側でかつ、識別部１８、第１反転部２１及び第２反転部２２の後側で、第１〜第５集積部５１〜５５に沿うように上下方向に伸びて配設されている。上下方向に伸びる搬送路から分岐した五つの分岐路が、第１〜第５集積部５１〜５５のそれぞれに接続されている。紙幣は、第１〜第５集積部５１〜５５のそれぞれに対し、前側から投入される。投入された紙幣は、第１〜第５集積部５１〜５５のそれぞれに集積される。
【００４４】
図示は省略するが、各分岐路の分岐箇所には、紙幣の搬送方向を切り替える分岐爪が設けられている。制御部４１は、識別部１８の識別結果に応じて、各分岐爪を動かす。このことによって、紙幣は、第１〜第５集積部５１〜５５に、選択的に投入される。
【００４５】
上下方向に伸びる搬送路の下流側は、途中で二つに分岐して、第１外部集積部１１及び第２外部集積部１２のそれぞれに接続されている。分岐箇所には、図示は省略するが、分岐爪が配設されている。制御部４１は、識別部１８の識別結果に応じて、分岐爪を動かすことにより、紙幣は、第１外部集積部１１及び第２外部集積部１２に、選択的に投入される。
【００４６】
運搬部６は、上下方向に並んだ第１〜第５集積部５１〜５５の後側に配設されている。運搬部６は、紙幣を掴むアーム部６１と、アーム部６１を上下方向に往復移動させるガイド部６２とを備えている。ガイド部６２は、上下方向に伸びている。アーム部６１は、ガイド部６２に沿って上下方向に移動をする。アーム部６１は、第１〜第５集積部５１〜５５それぞれの高さ位置に位置づけられ、第１〜第５集積部５１〜５５に集積されている紙幣を、後方に向かって取り出す。
【００４７】
帯封部７は、第２反転部２２の下側に配設されている。帯封部７は、運搬部６の下端部に位置している。運搬部６は、第１〜第５集積部５１〜５５から取り出した紙幣を、帯封部７に運搬する。帯封部７の構成の詳細な図示は省略するが、帯封部７は、公知の様々な構成を採用することができる。帯封部７は、例えば紙幣の束の外周囲に帯封紙を巻き付けることによって帯封を行うようにしてもよい。帯封部７はまた、帯封紙によって形成した輪の中に紙幣の束を挿入することによって帯封を行うようにしてもよい。
【００４８】
帯封部７は、帯封紙に情報を印す印字部７１を有している。印字部７１は、帯封紙に印刷を行う印刷部、及び、帯封紙にスタンプを押す押印部の両方、又は、いずれか一方を含んでいる。印字部７１は、帯封をする前、又は、帯封をした後に、帯封紙に情報を印す。印字部７１は、帯封を行った日時の情報や、帯封処理を行った操作者を特定する情報等を、帯封紙に印す。また、印字部７１は、例えば帯封紙幣を作成した金融機関名の情報、及び、帯封紙幣が損券である旨の情報を、帯封紙に印す。
【００４９】
帯封部７の前側には、ベルト式の第２運搬部７２が設けられている。第２運搬部７２は、帯封部７が帯封をした帯封紙幣を、前方に向かって投出部１５まで搬送する。帯封紙幣は、投出部１５のスロープを通って筐体１０の外に投出される。
【００５０】
紙幣処理装置１が分類処理を行った際、帯封枚数に至らずに第１〜第５集積部５１〜５５に紙幣が残ってしまう場合がある。運搬部６は、第１〜第５集積部５１〜５５に残った端数紙幣を返却部１６へ運搬する。
【００５１】
制御部４１は、図示は省略するが、第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７が、信号の授受可能に接続されている。記憶部４２には、各種の情報やプログラムが記憶されている。制御部４１は、前述した第１外部集積部１１、第２外部集積部１２、投入部１３、リジェクト部１４、返却部１６、識別部１８、第１反転部２１、第２反転部２２、搬送部３、第１〜第５集積部５１〜５５、運搬部６、及び、帯封部７に、記憶部４２が記憶している各種の情報やプログラムに基づいて制御信号を出力する。このことにより、紙幣処理装置１は、紙幣を識別及び計数し、種類別に分類をする処理を行う。第１外部集積部１１、第２外部集積部１２、投入部１３、リジェクト部１４、返却部１６、第１反転部２１、第２反転部２２、搬送部３、第１〜第５集積部５１〜５５、運搬部６、及び、帯封部７は、処理部を構成する。
【００５２】
記憶部４２は、表示部１７に表示をする各種の画面に関する情報、及び、帯封モード、バッチモード及び入金モードにおいて設定が必要な複数の項目について予め設定をした登録パターンの情報（後述するように、紙幣の正損に関する識別パターンの情報を含む）等を記憶している。記憶部４２はまた、詳細は後述するが、処理を実行することができない、紙幣の正損に関する識別事項と処理内容との組み合わせに関する情報を記憶している（図４も参照）。
【００５３】
紙幣処理装置１の筐体１０における、第１外部集積部１１及び第２外部集積部１２の側部には、図１に示すように、操作者が操作を行うスタートボタン１９が設けられている。操作者は、投入部１３に、処理対象の紙幣を投入した後、スタートボタン１９を操作することによって、紙幣処理装置１に、処理を開始させることができる。
【００５４】
紙幣処理装置１にはまた、ネットワーク８１を介して操作端末８２が接続されている。操作者は、操作端末８２を操作することによって、紙幣処理装置１に、処理を開始させることもできる。尚、操作端末８２は、ネットワーク８１を介さずに、紙幣処理装置１に直接的に接続することも可能である。
【００５５】
さらに、紙幣処理装置１は、自動スタートを設定することが可能に構成されている。自動スタートとは、操作者が処理対象の紙幣を投入部１３に投入すれば、そのことをセンサが検知することによって、スタートボタン１９の操作や、操作端末８２の操作を行わなくても、紙幣処理装置１が処理を開始することである。
【００５６】
（紙幣処理装置の処理モード）
前述したように、紙幣処理装置１は、紙幣に関する処理を行うモードとして、帯封モード、バッチモード及び入金モードの三つのモードを有している。
【００５７】
ここで、各モードにおける紙幣の処理について簡単に説明をする。先ず、帯封モードでは、投入部１３に投入された紙幣について、操作者によって指定された紙幣を結束した帯封紙幣を作成する。作成された帯封紙幣は、投出部１５から投出される。帯封モードにおいては、指定外の紙幣の一部についても、第１外部集積部１１及び／又は第２外部集積部１２を利用することによって、分類することができる。帯封対象に指定された紙幣、及び、第１外部集積部１１又は第２外部集積部１２に集積される紙幣以外の紙幣は、リジェクト部１４に集積される。
【００５８】
バッチモードは、投入部１３に投入された紙幣について、操作者によって指定された紙幣を、所定枚数に区分する。指定された紙幣は、第１外部集積部１１及び第２外部集積部１２に交互に集積される。指定外の紙幣は、リジェクト部１４に集積される。
【００５９】
入金モードは、投入部１３に投入された紙幣の計数を行うが、入金モードにおいては、いずれか一の金種を指定することにより、当該金種の紙幣を、第１外部集積部１１に集積することができる。指定外の紙幣は、第２外部集積部１２に集積される。
【００６０】
（紙幣処理装置の識別レベル）
紙幣処理装置１は、識別部１８が紙幣の正損を識別することに関し、その識別レベル（具体的には、正券と判断するか、損券と判断するかの境となる識別レベル）を操作者が変更・設定することが可能に構成されている。操作者は、後述するように、表示部１７に表示される設定画面において、識別レベルを変更・設定することが可能である。
【００６１】
図３は、紙幣の正損の識別に係るレベルを例示している。操作者が、正損（具体的には汚損）に関する識別レベルを、金種毎に、レベル１〜レベル７までの７段階で設定することが可能になるよう、紙幣処理装置１は構成されている。レベル１は、識別レベルが甘い（つまり、損券と識別される紙幣が少なくなる）。レベル７は、識別レベルが厳しい（つまり、損券と識別される紙幣が多くなる）。操作者はまた、選択した各レベルにおいて、識別レベルの補正を行うことが可能である。
【００６２】
紙幣処理装置１はまた、設定画面において、操作者が、正損に関する識別を行わない設定（つまり、ＯＦＦ設定、又は、レベル０設定）をすることが可能に構成されている。正損の識別をＯＦＦにしたときに、識別部１８は、識別可能な全ての紙幣を正券と識別するように構成してもよい。
【００６３】
操作者が、識別レベルを選択した後、識別レベルの補正をマイナス方向に補正する結果、正損に関する識別を行わない設定がなされるよう構成してもよい。以下の説明において、操作者が紙幣の正損を識別しない設定をすること（つまり、識別をＯＦＦにすること）には、操作者が正損に係る識別をＯＦＦにすること、及び、操作者が識別レベルを補正することによって結果的に、正損の識別がＯＦＦになることの両方が含まれる。
【００６４】
尚、損券の判定項目としては、紙幣の厚みに関する「厚損」、紙幣の欠けに関する「欠損」、紙幣の汚れに関する「汚損」の大きく三つがある。操作者は、紙幣の正損に関する識別レベルの設定を、これらの判定項目毎に行うことができると共に、汚損に関しては、金種毎に識別レベルを設定することができる。設定した識別レベルの組み合わせは、識別パターンとして予め記憶部４２に記憶させることができる。後述するように、操作者は、紙幣処理装置１を用いて処理を行う際に、記憶されている識別パターンの中から、所望の識別パターンを選択することができると共に、選択した識別パターンにおいて、各項目及び各金種の識別レベルを設定することができる。
【００６５】
尚、操作者は、表示部１７に表示される設定画面において、正損の識別レベルを変更したり、識別をＯＦＦにしたりする以外に、紙幣処理装置１の、例えば初期設定によって、当該紙幣処理装置１を、紙幣の正損を識別しない運用（設定）にすることも可能である。
【００６６】
図４は、正損の識別をＯＦＦにすることに起因して紙幣処理装置１が処理を実行することができない、識別事項と処理内容との組み合わせを例示している。図４に示す組み合わせ情報は、記憶部４２に記憶されている。具体的に、紙幣処理装置１は、入金モードと、正損の識別をＯＦＦにする識別事項との組み合わせでは、入金処理を実行することができない。同様に、紙幣処理装置１は、バッチモードと、正損の識別をＯＦＦにする識別事項との組み合わせでは、バッチ処理を実行することができない。
【００６７】
紙幣処理装置１は、帯封モードに関し、正券のみの帯封紙幣を作成する場合（正券）、損券のみの帯封紙幣を作成する場合（損券）、正券の帯封紙幣及び損券の帯封紙幣を分けて作成する場合（正損分類）は、正損の識別をＯＦＦにする識別事項との組み合わせでは、帯封処理を実行することができない。これらの処理は、正券と損券とを分類することが必要なためである。
【００６８】
一方、紙幣処理装置１は、帯封モードに関し、正券及び損券の両方が含まれ得る帯封紙幣を作成する場合（正損混合）は、正損の識別をＯＦＦにする識別事項との組み合わせでも、帯封処理を実行することができる。この処理は、正券と損券とを分類することが不要なためである。
【００６９】
後述するように、制御部４１は、識別事項と処理内容との組み合わせ情報に基づいて、操作者が設定をした識別事項及び処理内容に応じて、紙幣処理装置１の表示部１７が表示する画面の態様を変更する。
【００７０】
（紙幣処理装置の画面表示）
前述したように、操作者は、紙幣の識別に関する事項として、正損に関する識別を行わない設定を行うことが可能である。この設定は希な設定であるため、紙幣処理装置１を用いて紙幣の処理を適切に行うためには、操作者に対して、希な設定を行っていることを通知し、操作者の注意を喚起することが好ましい。また、操作者が、紙幣処理装置１に不適切な処理を実行させてしまうことを抑制するために、識別事項と処理内容との組み合わせに関し、処理を実行することができない組み合わせが設定されている場合は、操作者に、その旨を報知することが好ましい。
【００７１】
紙幣処理装置１は、操作者に、設定されている識別事項を適切に伝えることができるよう、表示部１７に表示する画面を構成している。制御部４１は、表示部１７に表示する画面の制御を行うと共に、画面を通じた操作者の操作に応じて、各種の設定を行ったり、表示部１７の表示を制御したりする。
【００７２】
図５は、表示部１７に表示される処理開始前の画面Ｄ１を例示している。図５の画面Ｄ１では、処理モードとして、帯封モードが選択されていると共に、現行券の金種毎に、正損混合の帯封紙幣を作成するように、処理内容が設定されている。
【００７３】
操作者が、画面Ｄ１の上部の「帯封」のタブを選択すると、図示は省略するが、操作者は、処理モードを「入金」「バッチ」「帯封」から選択することができると共に、選択した処理モードにおいて、その処理内容を設定することができる（つまり、処理設定部に相当する）。
【００７４】
画面Ｄ１の右下部には、「損検知１」と記載されたボタンが設けられている。このボタンは、現在設定されている、紙幣の正損に関する識別パターンを、操作者に報知している。つまり、図５の例は、識別パターン１が設定されていることを意味している。識別パターンは、複数の判定項目に係る識別レベルの組み合わせとして、記憶部４２に記憶されている。識別パターンを出力することは、当該識別パターンに対応する識別レベルを出力することと等価である。
【００７５】
操作者が、当該ボタン（「損検知１」と記載されたボタン）を選択すると、表示部１７は、図６に示す画面Ｄ２を表示する。画面Ｄ２は、現在設定されている識別パターン１の詳細を、ポップアップ画面Ｄ２１で、操作者に提示する。ポップアップ画面Ｄ２１の上部には、現在設定されている識別パターンが「１」であることが示されている。図例では、識別パターン１は、「厚損」がレベル４、「欠損」がレベル４、「汚損」が「万券」、「５千券」、「２千券」、及び「千券」の各金種について、レベル４が設定されていることを示している。
【００７６】
操作者は、ポップアップ画面Ｄ２１における「厚損」、「欠損」、並びに「汚損」の「万券」、「５千券」、「２千券」、及び「千券」の各項目を選択することによって、各項目の識別レベルを変更・設定することができる（つまり、識別設定部に相当する）。尚、ポップアップ画面における「暗証番号  なし」は、各項目の識別レベルを変更・設定するための暗証番号が設定されていないことを意味している。
【００７７】
画面Ｄ２におけるポップアップ画面Ｄ２１において、「１」の両側には、識別パターンを変更するための矢印「＜」「＞」が設けられている。操作者は、「＜」又は「＞」を操作することによって、識別パターンを変更することができる。
【００７８】
図７は、操作者が、識別パターン２を選択したときの画面Ｄ３を例示している。識別パターン２は、識別パターン１とは異なり、汚損の識別レベルが、全ての金種についてＯＦＦである。識別パターン２は、正損を識別しない識別パターンである。操作者は、画面Ｄ３のポップアップ画面Ｄ３１において、「変更」を選択すると、紙幣の正損の識別パターンを、識別パターン２に設定することができる。
【００７９】
図８は、図７の画面において操作者が「変更」を選択した後に、表示部１７が表示する画面Ｄ４を例示している。前述したように、識別パターンは識別パターン２に変更されている。識別パターン２は、全て金種について正損を識別しない。画面Ｄ４は、希な識別パターンを設定していることを操作者に伝えるために、画面右下に設けたボタンを、色つきに変更している。ボタンは、警告色としてもよい。警告色は、例えば赤色である。ボタンを色つきにすることは、「警告の態様での出力」に相当する。一方、図５に示す画面Ｄ１は、画面右下に設けたボタンを、色無し（つまり、白色）にしている。ボタンを色無しにすることは、「通常の態様での出力」に相当する。
【００８０】
また、画面Ｄ４におけるボタンは、識別パターンの番号を示す代わりに、「損検知無効」と表示している。こうすることで、操作者に、正損の識別をしないことを認識させることができる。尚、画面Ｄ４におけるボタンを、画面Ｄ１と同様に、「損検知２」と表示してもよい。
【００８１】
前述したように、汚損の識別に関しては、金種毎に、識別レベルをＯＦＦにすることが可能である。識別パターン２のように、全て金種について正損の識別がＯＦＦであるときにのみ、画面Ｄ４における画面右下のボタンを警告色にしてもよい。いずれかの金種についての正損の識別がＯＦＦでないときには、画面Ｄ４における画面右下のボタンを、警告色ではなく、通常の色無しにしてもよい。
【００８２】
また、図示は省略するが、紙幣の正損の識別がＯＦＦであるときには、ボタンを点滅させることによって、操作者の注意を喚起するようにしてもよい。尚、ボタンは、警告色又は色無しのいずれであってもよい。また、正損の識別がＯＦＦに設定されているときには、画面の背景色を、正損の識別がＯＦＦに設定されていないときとは異なる色にしてもよい。背景色は、操作者の注意を喚起するのであれば、どのような色（例えば警告色）であっても良い。
【００８３】
また、表示部１７が表示する画面の構成を変更することに代えて、又は、画面の構成を変更することに加えて、紙幣処理装置１は、例えば「損検知は無効に設定されています」といった音声を出力してもよい。この構成も出力部の一例である。こうすることで、操作者は、正損の識別がＯＦＦに設定されていることに気づきやすくなる。
【００８４】
図９は、図８とは異なる態様の画面Ｄ５の構成例を示している。画面Ｄ５は、正損の識別がＯＦＦに設定されている場合に、画面上部に、「損検知は無効に設定されています」という文言が右から左へスクロールするような形態で表示している。こうしたスクロール表示を利用して、正損の識別をしない旨を出力することによって、操作者の注意を喚起することができる。
【００８５】
図８の画面Ｄ４では、帯封モードとして「正損混合」が設定されている。図４に示すように、正損混合の帯封モードと、正損の識別がＯＦＦの識別事項とは、処理の実行が可能な組み合わせである。画面Ｄ４は、その上部に、「スタートできます」と表示しており、操作者に処理の実行が可能な旨を報知している。操作者は、前述したように、スタートボタン１９を操作するか、操作端末８２を操作するか、又は、（自動スタートが設定されている場合）処理対象の紙幣を投入部１３に投入するか、を行うことにより、紙幣処理装置１は、紙幣の帯封処理を開始する。つまり、制御部４１は、処理の実行を許可する。
【００８６】
これに対し、図１０に示す画面Ｄ６では、帯封モードとして「正券」が設定されている。図４に示すように、正券の帯封モードと、正損の識別がＯＦＦの識別事項とは、処理の実行ができない組み合わせである。画面Ｄ６は、画面Ｄ５とは異なり、その上部に「損検知パターンを確認してください」と表示している。操作者に、識別パターンの再設定を促している。
【００８７】
紙幣処理装置１は、画面Ｄ６の状態においては、操作者が仮に、スタートボタン１９を操作しても、帯封処理を開始しない。制御部４１は、識別事項と処理内容との組み合わせに基づき処理の実行ができないと判断した場合は、処理の実行を制限する。尚、操作者が操作端末８２を操作した場合も同様に、紙幣処理装置１は、帯封処理を開始しない。また、自動スタートが設定されていて、操作者が処理対象の紙幣を投入部１３に投入しても、紙幣処理装置１は、紙幣の帯封処理を開始しない。こうして、紙幣処理装置１は、不適切な紙幣の処理の実行を抑制することができる。
【００８８】
尚、画面Ｄ６において、操作者が識別パターンの再設定を行うことにより、処理の実行が可能な、識別事項と処理内容との組み合わせになれば、紙幣処理装置１は、操作者の操作に応じて、帯封処理を開始する。
【００８９】
図１１は、図１０とは異なる態様の画面Ｄ７の構成例を示している。画面Ｄ７は、処理が実行できない、識別事項と処理内容との組み合わせが設定されている場合に、ポップアップ画面Ｄ７１を表示している。ポップアップ画面Ｄ７１には、「損検知パターンを確認して下さい。」という文言と矢印とが表示されており、操作者が「損検知無効」のボタンを操作して識別パターンの再設定を促すよう構成されている。
【００９０】
尚、ポップアップ画面に代えて、操作者に「損検知無効」のボタンを操作させるよう誘導する、誘導アイコンを画面に表示してもよい。
【００９１】
また、設定画面において、実行することができない識別事項と処理内容との組み合わせを、操作者が選択したタイミングで、紙幣処理装置１は、警告音（例えばブザー音）を発したり、音声による警告メッセージ（例えば「損検知が無効であるため、この処理を実行することができません」を発したりしてもよい。この構成も出力部の一例である。
【００９２】
さらに、実行することができない識別事項と処理内容との組み合わせを、操作者が選択することを抑制するために、例えば図１２に示すように、処理内容を設定する画面Ｄ８において、選択肢の一部を、設定されている識別事項に対応して、操作者が選択できないように制限してもよい。
【００９３】
画面Ｄ８は、帯封モードにおける処理内容を設定する画面を例示している。具体的に、この画面Ｄ８には、設定項目として、（１）帯封対象の「金種」、（２）帯封対象の「券種」、（３）帯封対象の「刷種」、及び、（４）第１外部集積部１１及び第２外部集積部１２に集積をする、帯封対象外の紙幣の分類ルール（「スタッカ」）、を含んでいる。
【００９４】
ここで、当該画面Ｄ８の右下に示すように、識別パターンは「２」が設定されている。図７に示す通り、識別パターン２は、全ての金種について、正損の識別をＯＦＦにする識別事項を含んでいる。画面Ｄ８において、帯封対象の券種を選択する項目では、正損の識別をＯＦＦにする識別事項と組み合わせることができない「正券」「損券」「正損分類」の各選択肢を、操作者が選択できないように構成されている。図例においては、これらの選択肢をグレーアウト状態で表示している。尚、これらの選択肢を表示しないようにしてもよい。「正損混合」の選択肢は、正損の識別をＯＦＦにする識別事項と組み合わせることができるため、操作者は選択することができる。このように、処理内容を設定する画面Ｄ８において、処理の実行が不可能となる処理内容の選択ができないよう構成することにより、処理を実行することができない識別事項と処理内容との組み合わせを、操作者が設定してしまうことを、未然に防止することができる。
【００９５】
尚、図示は省略するが、前記とは逆に、識別パターンを設定する画面において、設定されている処理内容に対して組み合わせることができない選択肢を、操作者が選択することができないよう構成してもよい。
【００９６】
ここで、紙幣処理装置１は、初期設定において、「旧券」をリジェクト紙幣扱いに設定することができる。初期設定において、「旧券」をリジェクト紙幣扱いに設定した場合、図１２に例示している画面において、刷種として「旧券」及び「現旧分類」を選択することはできなくなると共に、「スタッカ」において「現旧分類」を選択することはできなくなる。
【００９７】
尚、以上においては、全ての金種について正損の識別をＯＦＦにすることを例に、ここに開示する技術を説明した。正損の識別レベルは、図６の画面Ｄ２に示すように金種毎に設定することが可能でありかつ、帯封処理は、図１２の画面Ｄ８に示すように金種毎に処理を行うことができる。そこで、制御部４１は、処理の実行の可否を、金種毎に判断してもよい。つまり、正損の識別をＯＦＦに設定している金種を対象とした処理（但し、正損識別が必要な処理）は、実行を不可にし、正損の識別をＯＦＦに設定している金種を対象としない処理は、実行を可にしてもよい。例えば、万券についてのみ正損の識別をＯＦＦにする識別事項が設定されている場合、万券について「正券」「損券」「正損混合」の帯封処理は実行不可とし、万券以外の「５千券」「２千券」及び「千券」について、「正券」「損券」「正損混合」の帯封処理は実行可としてもよい。尚、記憶部４２は、金種毎に、識別事項と処理内容との組み合わせと、処理の実行の可否とを記憶してもよい。
【００９８】
尚、例えば初期設定において、当該紙幣処理装置１を、紙幣の正損を識別しない運用にした場合も、操作者が正損を識別しない設定を行った場合と同様に、各種の出力を行うようにすればよい。
【００９９】
ここに開示する技術は、図１に示す紙幣処理装置１に適用することに限らない。例えば図１３に例示するような卓上型の紙幣整理機１００に、ここに開示する技術を適用してもよい。この紙幣整理機１００は、帯封機能を有しておらず、前述した入金モードと、バッチモードとを実行することが可能である。尚、バッチモードは、帯封紙幣の作成を目的として実行することが可能である。バッチモードは、例えば「正券」「損券」「正損分類」「正損混合」のそれぞれについて実行可能にしてもよい。
【０１００】
また、ここに開示する技術は、例えば図１４に示すような、貨幣処理装置１０１に適用することが可能である。貨幣処理装置１０１は、紙幣及び硬貨の処理を行う、いわゆる出納機であり、バラ紙幣及び帯封紙幣の処理を行う紙幣処理機（紙幣処理装置）１０２を有している。紙幣処理機１０２は、前記の紙幣処理装置１と同様に、入金モード、バッチモード、及び、帯封モードを実行することが可能である。
【０１０１】
尚、前記で説明をした識別事項に関する各種の出力（表示）は、紙幣処理装置が有している表示部等を通じて、操作者に出力する他にも、紙幣処理装置に接続されている端末（図１の例では、操作端末８２）の表示部等を通じて、操作者に出力するようにしてもよい。
【０１０２】
さらに、図示は省略するが、ここに開示する技術は、その他の様々な紙幣処理装置、又は、貨幣処理装置に適用することが可能である。
【符号の説明】
【０１０３】
１  紙幣処理装置
１００  紙幣整理機（紙幣処理装置）
１０２  紙幣処理機（紙幣処理装置）
１１  第１外部集積部（処理部）
１２  第２外部集積部（処理部）
１３  投入部（処理部）
１４  リジェクト部（処理部）
１６  返却部（処理部）
１７  表示部（出力部）
１８  識別部
２１  第１反転部（処理部）
２２  第２反転部（処理部）
３  搬送部（処理部）
４１  制御部
４２  記憶部
５１〜５５  集積部（処理部）
６  運搬部（処理部）
７  帯封部（処理部）
【図１】
2020087228.tif 000003
【図２】
2020087228.tif 000004
【図３】
2020087228.tif 000005
【図４】
2020087228.tif 000006
【図５】
2020087228.tif 000007
【図６】
2020087228.tif 000008
【図７】
2020087228.tif 000009
【図８】
2020087228.tif 000010
【図９】
2020087228.tif 000011
【図１０】
2020087228.tif 000012
【図１１】
2020087228.tif 000013
【図１２】
2020087228.tif 000014
【図１３】
2020087228.tif 000015
【図１４】
2020087228.tif 000016